(57)【要約】【課題】構成の自由度を高め、搭載する機器の構成に柔軟に対応することが可能なロック装置を提供する。【解決手段】本発明のロック装置は、本体１１０に設けられ、本体１１０に対してスライドして開閉可能に設けられた蓋部１２０が開いているときは第１の磁力以下の磁力を有し、蓋部１２０が閉じているときは第１の磁力より大きい第２の磁力を有する一対の吸着部１７０と、蓋部１２０の開閉に連動して吸着部１７０に磁力を与えるマグネット１６４と、蓋部１２０の当該蓋部１２０が閉じられたときに吸着部１７０と対向する位置に設けられ、吸着部１７０に吸着保持される被吸着部１２２とを備える。【選択図】図９
2010067287.tif 000002
【特許請求の範囲】
【請求項１】
本体に設けられ、前記本体に対してスライドして開閉可能に設けられた蓋部が開いているときは第１の磁力以下の磁力を有し、前記蓋部が閉じているときは第１の磁力より大きい第２の磁力を有する一対の吸着部と、
前記蓋部の開閉に連動して前記吸着部に磁力を与えるマグネットと、
前記蓋部の当該蓋部が閉じられたときに前記吸着部と対向する位置に設けられ、前記吸着部に吸着保持される被吸着部と、
を備える、ロック装置。
【請求項２】
前記マグネットは、前記蓋部が閉じられたときに前記一対の吸着部の磁力が最大となるように設けられる、請求項１に記載のロック装置。
【請求項３】
前記一対の吸着部は、前記マグネットの２つの磁極が存在する平面方向に、前記マグネットを挟んで設けられ、
前記マグネットは、
前記蓋部が閉じられたとき、前記マグネットの２つの磁極と前記一対の吸着部とがそれぞれ対向するように移動され、
前記蓋部が開いているとき、前記マグネットの２つの磁極の配置方向が前記一対の吸着部の配列方向に対して略直交するように移動される、請求項２に記載のロック装置。
【請求項４】
前記蓋部の開閉とともに移動する移動部と、
前記移動部を移動させる駆動部と、
前記移動部の移動に連動して前記マグネットを移動させるレバー部と、
をさらに備え、
前記移動部は、前記レバー部に設けられた第１の突起部が挿通され、前記第１の突起部を前記マグネットの移動方向に案内する溝を備える、請求項３に記載のロック装置。
【請求項５】
前記マグネットを保持し、第２の突起部が形成された保持部をさらに備え、
前記レバー部は、前記第２の突起部が係合する係合部を備え、当該レバーの移動とともに前記係合部により前記第２の突起部を移動させる、請求項４に記載のロック装置。
【請求項６】
前記マグネットは円板形状であり、
前記移動部は、前記蓋部の開閉方向である第１の移動方向に移動され、
前記レバー部は、前記第１の方向に対して略直交する第２の方向に移動され、
前記マグネットは、前記第２の方向への移動にともなって回転する、請求項５に記載のロック装置。
【請求項７】
前記第２の磁力は、前記吸着部と前記被吸着部との吸着を前記駆動部により解除可能な大きさに設定される、請求項６に記載のロック装置。
【請求項８】
前記第１の磁力は、ほぼゼロである、請求項７に記載のロック装置。
【請求項９】
情報が記録された記録媒体から情報を読み取り可能な情報処理部を備える本体と、
前記本体に対してスライドして開閉可能に設けられ、前記情報処理部により前記記録媒体から情報を読み取る処理が行われているときに前記情報処理部を含む本体を覆う蓋部と、
前記蓋部が閉じた状態で前記本体と前記蓋部とを固定するロック装置と、
を備え、
前記ロック装置は、
前記本体に設けられ、前記蓋部が開いているときは第１の磁力以下の磁力を有し、前記蓋部が閉じているときには第１の磁力より大きい第２の磁力を有する一対の吸着部と、
前記蓋部の開閉に連動して前記吸着部に磁力を与えるマグネットと、
前記蓋部の当該蓋部が閉じられたときに前記吸着部と対向する位置に設けられ、前記吸着部に吸着保持される被吸着部と、
を備える、情報処理装置。
【発明の詳細な説明】
【技術分野】
【０００１】
本発明は、ロック装置および情報処理装置に関し、より詳細には、本体に対してスライドして開閉可能な蓋部を本体に固定するロック装置およびこれを備える情報処理装置に関する。
【背景技術】
【０００２】
機器の作動中において、機器を使用するユーザの安全性や当該動作の安定性を確保するため、所定の処理を行うことができないように機器をロックするロック装置が提案されている。
【０００３】
例えば、全自動洗濯機には、洗濯兼脱水槽の回転作動時に洗濯兼脱水槽の蓋をあけることができないようにロックするロック装置が設けられている（例えば、特許文献１）。かかるロック装置は、蓋の開操作を阻止するロック位置と蓋の開操作を許容するアンロック位置との間で係止ピンを移動させて、蓋の開操作の可否を設定することができる。また、例えばカセットデッキでは、記録／再生されるカセットテープを収容する収容部に、本体に形成された係合部と係合する被係合部が形成されている。係合部と被係合部とを係合することにより、収容部を本体に収容した状態で固定することができる。
【０００４】
このように、従来のロック装置は、係合部と被係合部とを係合させて機構的に構成部材の動きを抑えるものであった。
【０００５】
【特許文献１】特開２００３−６２３８８号公報
【発明の開示】
【発明が解決しようとする課題】
【０００６】
しかし、従来の構成のロック装置では、係合部および被係合部を設けるためのスペースを要するため、ロック装置を備える機器にそのスペースを設けなければならなかった。このため、近年の機器の薄型化や省スペース化にともない、ロック装置のサイズも可能な限り小さくすることが望ましい。
【０００７】
そこで、本発明は、上記問題に鑑みてなされたものであり、本発明の目的とするところは、構成の自由度を高め、搭載する機器の構成に柔軟に対応することが可能な、新規かつ改良されたロック装置およびこれを備える情報処理装置を提供することにある。
【課題を解決するための手段】
【０００８】
上記課題を解決するために、本発明のある観点によれば、本体に設けられ、本体に対してスライドして開閉可能に設けられた蓋部が開いているときは第１の磁力以下の磁力を有し、蓋部が閉じているときは第１の磁力より大きい第２の磁力を有する一対の吸着部と、蓋部の開閉に連動して吸着部に磁力を与えるマグネットと、蓋部の当該蓋部が閉じられたときに吸着部と対向する位置に設けられ、吸着部に吸着保持される被吸着部とを備える、ロック装置が提供される。
【０００９】
本発明によれば、蓋部と本体とを吸着させて蓋部の位置をロック／ロック解除するために、蓋部の開閉に応じてマグネットが吸着部に与える磁力の大きさを変化させる。このように、吸着部の有する磁力の大きさを変化させることにより、吸着部が被吸着部を吸着保持したり吸着保持しないようにすることができる。ロック機構をマグネットにより実現することができるため、従来と比較してスペース上有利であり、ロック装置を搭載する機器の構成に柔軟に対応することが可能となる。
【００１０】
ここで、マグネットは、蓋部が閉じられたときに一対の吸着部の磁力が最大となるように設けることができる。例えば、一対の吸着部は、マグネットの２つの磁極が存在する平面方向にマグネットを挟んで設けるようにしてもよい。このとき、マグネットは、蓋部が閉じられたとき、マグネットの２つの磁極と一対の吸着部とがそれぞれ対向するように移動される。一方、蓋部が開いているとき、マグネットの２つの磁極の配置方向が一対の吸着部の配列方向に対して略直交するように移動される。
【００１１】
また、蓋部の開閉とともに移動する移動部と、移動部を移動させる駆動部と、移動部の移動に連動してマグネットを移動させるレバー部と、をさらに備えることもできる。このとき、移動部は、レバー部に設けられた第１の突起部が挿通され、第１の突起部をマグネットの移動方向に案内する溝を備える。
【００１２】
さらに、マグネットを保持し、第２の突起部が形成された保持部を備えることもできる。このとき、レバー部は、第２の突起部が係合する係合部を備え、当該レバーの移動とともに係合部により第２の突起部を移動させる。
【００１３】
また、マグネットは円板形状に形成することもできる。このとき、移動部は、蓋部の開閉方向である第１の移動方向に移動され、レバー部は、第１の方向に対して略直交する第２の方向に移動される。そして、マグネットは、第２の方向への移動にともなって回転する。
【００１４】
そして、第２の磁力は、吸着部と被吸着部との吸着を駆動部により解除可能な大きさに設定されるのがよい。一方、第１の磁力は、ほぼゼロとすることができる。
【００１５】
また、上記課題を解決するために、本発明の別の観点によれば、情報が記録された記録媒体から情報を読み取り可能な情報処理部を備える本体と、本体に対してスライドして開閉可能に設けられ、情報処理部により前記記録媒体から情報を読み取る処理が行われているときに情報処理部を含む本体を覆う蓋部と、蓋部が閉じた状態で本体と蓋部とを固定するロック装置と、を備える情報処理装置が提供される。ここで、ロック装置は、本体に設けられ、蓋部が開いているときは第１の磁力以下の磁力を有し、蓋部が閉じているときは第１の磁力より大きい第２の磁力を有する一対の吸着部と、蓋部の開閉に連動して吸着部に磁力を発生させるマグネットと、蓋部の当該蓋部が閉じられたときに吸着部と対向する位置に設けられ、吸着部に吸着保持される被吸着部と、を備える。
【発明の効果】
【００１６】
以上説明したように本発明によれば、構成の自由度を高め、搭載する機器の構成に柔軟に対応することが可能なロック装置およびこれを備える情報処理装置を提供することができる。
【発明を実施するための最良の形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
まず、図１および図２に基づいて、本発明の実施形態にかかる情報処理装置である音楽再生装置１００の概略構成について説明する。なお、図１は、本実施形態にかかる音楽再生装置１００の外観を示す全体斜視図であって、蓋部１２０が閉じた状態を示す。図２は、本実施形態にかかる音楽再生装置１００の外観を示す全体斜視図であって、蓋部１２０が開いた状態を示す。
【００１９】
＜音楽再生装置の概略構成＞
本実施形態にかかる音楽再生装置１００は、図１に示すように、例えばＣＤ（Ｃｏｍｐａｃｔ  Ｄｉｓｃ）１０等の記録媒体に記録された音楽情報を再生する情報処理装置である。本実施形態にかかる音楽再生装置１００は、音楽を再生するための機構や処理部を備える本体部１１０と、本体部１１０を覆うように設けられる蓋部１２０とから構成される。音楽再生装置１００は、ＣＤ１０に記録された音楽情報を再生しているときには、図１に示すように、ＣＤ１０を保持した状態で回転させており、外乱を受けないようにその外部を蓋部１２０で覆っている。一方、音楽再生処理が行われていないときは、図２に示すように、ＣＤ１０を載置する載置面１１４が露出するように蓋部１２０を開くことができる。
【００２０】
音楽再生装置１００は、ＣＤ１０に記録された音楽情報を再生する場合、再生処理を行う処理部等とともにカバー１１５内部に移動可能に設けられた移動部（図３の符号１３０）が駆動部（図示せず。）によって載置面１１４側へ移動される。そして、載置面１１４が上昇して載置面１１４に載置されたＣＤ１０が持ち上げられると、移動部の先端に設けられた保持部（図示せず。）によってＣＤ１０が保持される。移動部には、ＣＤ１０を回転駆動するスピンドルモータ（図示せず。）と、ＣＤ１０に記録された音楽情報を読み取る光ピックアップ（図示せず。）とが設けられている。音楽再生装置１００は、光ピックアップによりスピンドルモータによって回転されているＣＤ１０の音楽情報を読み取り、読み取った音楽情報を再生処理することによって音楽情報を再生する。
【００２１】
音楽情報の再生を終えると、保持部はＣＤ１０の保持を解除して移動部の高さにまで上昇された載置面１１４にＣＤ１０を載置する。そして、ＣＤ１０を載置した載置面１１４は基台１１１より僅かに低い位置に下降し、移動部１３０はカバー１１５内に収容されるように移動される。蓋部１２０は、移動部１３０が駆動部によって移動される動きに連動してカバー１１５側へ移動させることもできる。蓋部１２０がカバー１１５側へ移動されると、載置面１１４が外部に露出する。これにより、ユーザは載置面１１４からＣＤ１０を取り出すことができ、別のＣＤ１０を載置面１１４に載置することもできる。
【００２２】
このような音楽再生装置１００は、蓋部１２０を本体部１１０に固定するロック装置を備える。これにより、ＣＤに記録された音楽情報の音楽再生処理中に蓋部１２０が動いて、ＣＤ１０やスピンドルモータ等に蓋部１２０が接触して、音楽再生処理が停止したり、ＣＤ１０を傷付けたりするのを防止することができる。
【００２３】
以下、本実施形態にかかる音楽再生装置１００のロック装置について詳細に説明する。まず、図３および図４に基づいて、ロック装置の構成について説明する。なお、図３は、本実施形態にかかる音楽再生装置１００の蓋部１２０およびカバー１１５を取り除いた状態のロック装置を示す平面図である。図４は、マグネット部１６０の構成を示す断面図である。
【００２４】
＜ロック装置の構成＞
本実施形態の音楽再生装置１００に設けられるロック装置は、上述したように、蓋部１２０を本体部１１０に固定する装置であり、蓋部１２０および移動部１３０の動きに連動して作動する。スピンドルモータや光ピックアップ等を搭載する移動部１３０は、図３に示すように、本体部１１０の長手方向（第１の方向、ｘ方向）に延びて設けられる。移動部１３０は駆動部（図示せず。）によりｘ方向に移動される。本実施形態にかかる音楽再生装置１００では、蓋部１２０も移動部１３０を移動させる駆動力を用いてｘ方向に移動される。
【００２５】
本実施形態にかかるロック装置は、図３に示すように、連結部１４０と、レバー部１５０と、マグネット部１６０と、吸着部１７０と、被吸着部１２２とから構成される。
【００２６】
連結部１４０は、移動部１３０と一体となって移動可能に連結されて設けられた略コの字形状の部材であって、移動部１３０をｙ方向に挟み込むように設けられる。連結部１４０を構成する一対の腕部の一方には接続部１４２が設けられている。接続部１４２の底面には、後述するレバー部１５０に設けられた突起部１４５を案内する溝部１４４が形成される。溝部１４４にレバー部１５０の突起部１４５が挿通されることにより、連結部とレバー部１５０とを連結することができる。連結部１４０は、移動部１３０とともに本体部１１０の長手方向（第１の方向、ｘ方向）へ移動される。
【００２７】
レバー部１５０は、連結部１４０の動きを後述するマグネット部１６０に伝達する部材である。レバー部１５０は、音楽再生装置１００の短手方向（ｙ方向）に延びて配置される。レバー部１５０には、連結部１４０の溝部１４４に挿通される突起部１４５が設けられる。連結部１４０が第１の方向へ移動すると、レバー部１５０は、突起部１４５が溝部１４４に案内されて連結部１４０の動きにともなって第２の方向（ｙ方向）へ移動する。
【００２８】
また、レバー部１５０の両端には、マグネット部１６０をレバー部１５０の移動とともに動かすための、マグネット部１６０の突起部１６８と係合する切り欠き部１５２が形成されている。このとき、突起部１６８は後述するように軸部１６２を中心に回転移動するため、ｙ方向に直線的には移動しない。このため、切り欠き部１５２に深みを設けることで、レバー部１５０がｙ方向に直線移動してもマグネット部１６０の回転移動を妨げないようにする。このとき、レバー部１５０がｙ方向に直線移動するよう、図３に示すように突起部１５５と、突起部１５５をｙ方向に案内する溝部１５６とを設けることができる。突起部１５５は、例えば基台１１１上に設けることができる。
【００２９】
マグネット部１６０は、後述する吸着部１７０へ磁力を与える部材であって、図４に示すように、軸部１６２と、マグネット１６４と、第１のホルダー１６５と、第２のホルダー１６６と、突起部１６８とを備える。
【００３０】
軸部１６２は、マグネット１６４の回転中心であって、第１のホルダー１６５を基台１１１に回転可能に支持する。マグネット１６４は、リング形状の永久磁石である。マグネット１６４は、第１のホルダー１６５に保持され、軸部１６２を回転中心として回転することができる。
【００３１】
第１のホルダー１６５は、マグネット１６４を保持する部材であって、基台１１１とマグネット１６４との間に設けられる。第１のホルダー１６５は、例えば円板部材の中心に管状部材が連結された形状を有しており、マグネット１６４の孔に管状部材が挿通させることによりマグネット１６４を保持する。
【００３２】
第２のホルダー１６６は、マグネット１６４を上方から保持する部材である。第２のホルダー１６６は、第１のホルダー１６５と同様に、例えば円板部材の中心に管状部材が連結された形状とすることができる。第２のホルダー１６６の円板部材の上面（マグネット１６４と対向する面と反対側の面）には、レバー部１５０の切り欠き部１５２と係合される突起部１６８が設けられる。
【００３３】
マグネット部１６０は、レバー部１５０の両端にそれぞれ設けられる。したがって、本実施形態にかかる音楽再生装置１００では、ｙ方向の２ヶ所において蓋部１２０を吸着保持するように構成している。
【００３４】
吸着部１７０は、磁力を有することにより蓋部１２０の被吸着部１２２を吸着して蓋部１２０を保持する。吸着部１７０は、マグネット１６４の周囲にそれぞれ独立して設けられた一対のプレート１７２、１７４からなる。かかるプレート１７２、１７４は、例えば鉄などのマグネット１６４の磁力を受けて磁力を有する材質からなる。本実施形態にかかるプレート１７２、１７４は板状部材であり、その平面が基台１１１の面（ｘｙ平面）に対して略平行となるように設けられる。このとき、蓋部１２０を基台１１１の表面から大きく浮いた状態とならないように、吸着部１７０を基台１１１の表面から大きく突出しないように配置してもよい。吸着部１７０は、蓋部１２０の縁部の一部と対向して設けられる。
【００３５】
被吸着部１２２は、磁力を有した状態の吸着部１７０に吸着する部材であって、例えばアルミシートからなる。被吸着部１２２は、蓋部１２０の縁部のうち、蓋部１２０が閉じた状態で吸着部１７０と対向する位置に設けられる。
【００３６】
以上、本実施形態にかかる音楽再生装置１００のロック装置の構成について説明した。次に、図５〜図９に基づいて、ロック装置による蓋部１２０のロック作用について説明する。なお、図５は、蓋部１２０が開いた状態における連結部１４０、レバー部１５０およびマグネット部１６０の位置を示す説明図である。図６は、蓋部１２０が閉じようとしている状態における連結部１４０、レバー部１５０およびマグネット部１６０の位置を示す説明図である。図７は、蓋部１２０が閉じた状態における連結部１４０、レバー部１５０およびマグネット部１６０の位置を示す説明図である。図８は、本実施形態にかかるロック装置の作用を説明するための説明図であって、ロックが解除された状態を示す。図９は、本実施形態にかかるロック装置の作用を説明するための説明図であって、ロックされた状態を示す。なお、図５〜図７において、突起部１５５および溝部１５６の記載を省略した。また、図８および図９において、（ａ）は平面図であり、（ｂ）は側面図である。
【００３７】
＜ロック装置による作用＞
本実施形態にかかるロック装置は、上述したように、蓋部１２０および移動部１３０の移動にともなって蓋部１２０を本体部１１０にロックしたり、ロックを解除したりする。まず、蓋部１２０を本体部１１０にロックするときのロック装置の動きについて説明する。載置面１１４に載置されたＣＤ１０に記録された音楽情報を読み取るために移動部１３０が載置面１１４側へ移動すると、移動部１３０に連結された連結部１４０は移動部１３０とともに載置面１１４側へ移動される。ここで、移動部１３０が移動する前は、図５に示すように、連結部１４０の溝部１４４の左端（ｘ軸正方向側の端）にレバー部１５０の突起部１４５が位置し、第２のホルダー１６６の突起部１６８はｙ軸負方向側に位置する。
【００３８】
移動部１３０がｘ軸正方向へ移動を始めると、連結部１４０は移動部１３０とともにｘ軸正方向へ移動を始める。このとき、溝部１４４に挿通されている突起部１４５は、図６に示すように、溝部１４４に案内されてｙ軸正方向へ動かされる。これにより、突起部１４５が設けられたレバー部１５０も突起部１４５の移動とともにｙ軸正方向へ移動する。このとき、レバー部１５０の移動にともないレバー部１５０の切り欠き部１５２もｙ軸正方向へ移動するため、切り欠き部１５２に係合されている第２のホルダー１６６の突起部１６８も切り欠き部１５２の移動にともなって軸部１６２を中心に反時計回りに回転する。
【００３９】
その後、移動部１３０が載置面１１４まで移動されると、移動部１３０は停止する。そして、移動部１３０の動きにともなって移動していた蓋部１２０も停止する。このとき、蓋部１２０は載置面１１４を完全に覆うようになる。このとき、連結部１４０がｘ軸正方向へ移動されることにより、図７に示すように、溝部１４４に挿通されている突起部１４５は、溝部１４４に案内されてｙ軸正方向に移動しながら溝部１４４の右端（ｘ軸負方向側の端）に位置するようになる。したがって、突起部１４５が設けられたレバー部１５０も突起部１４５の移動とともにｙ軸正方向へ移動する。そして、レバー部１５０の切り欠き部１５２に係合されている第２のホルダー１６６の突起部１６８も切り欠き部１５２の移動にともなって軸部１６２を中心にさらに反時計回りに回転する。
【００４０】
このように、移動部１３０の移動にともなって第２のホルダー１６６が回転すると、第２のホルダー１６６に保持されているマグネット１６４も第２のホルダー１６６の回転とともに回転する。このとき、マグネット１６４を回転させることにより、ロック装置により蓋部１２０を本体部１１０にロック／ロック解除することができる。これは、マグネット１６４の回転によって、吸着部１７０が有する磁力の大きさが変化することによる。
【００４１】
まず、移動部１３０が載置面１１４側に移動される前の状態、すわなち、蓋部１２０が開いた状態を図８に示す。図８に示すように、マグネット１６４は、マグネット１６４の磁極が吸着部１７０を構成するプレート１７２、１７４の間の空間１７５に位置するように設けられている。このとき、プレート１７２、１７４の間の空間１７５の延びる方向は、マグネット１６４の磁極の配置方向と略平行（プレート１７２、１７４の配列方向に対して略直交）となっている。このとき、プレート１７２、１７４はマグネット１６４の磁力の影響を受けず、ほとんど磁力を有しない。したがって、この状態の吸着部１７０は、鉄やアルミニウムなどを引き寄せる力をほとんど生じず、仮に被吸着部１２２を近づけたとしても被吸着部１２２を強く引き寄せることができないため蓋部１２０を吸着保持することはできない。
【００４２】
しかし、移動部１３０が移動して蓋部１２０が閉じた状態となると、図９に示すように、マグネット１６４は図８の状態から約４５°回転する。そうすると、マグネット１６４の磁極が吸着部１７０と対向するようになる。例えば、Ｓ極がプレート１７２に対向し、Ｎ極がプレート１７４に対向する。このとき、各プレート１７２、１７４は、マグネット１６４の対向する磁極を帯び、磁力を有するようになる。すなわち、プレート１７２はＳ極、プレート１７４はＮ極として機能し、被吸着部１２２を吸着することができるようになる。したがって、蓋部１２０は吸着部１７０により吸着保持される。
【００４３】
このように、マグネット１６４の磁極の位置を変化させることにより、吸着部１７０を構成するプレート１７２、１７４の有する磁力を変化させる。吸着部１７０の有する磁力を強くすることにより、被吸着部１２２を吸着する力を強くすることができ、蓋部１２０の位置を確実にロックすることができる。一方、吸着部１７０の有する磁力を弱めることにより、被吸着部１２２を吸着する力を弱くすることができ、蓋部１２０の移動を可能にすることができる。
【００４４】
なお、ロック装置は、蓋部１２０を吸着保持する力が蓋部１２０のロック位置で最大となるように、プレート１７２、１７４の有する磁力がロックする位置において最大となるように構成するのがよい。すなわち、図９に示すように、プレート１７２、１７４と各磁極とが対向する領域がなるべく多くなるようにする。また、吸着部１７０の吸着保持力を安定させるため、左右のプレート１７２、１７４を対称に設けて各プレート１７２、１７４の有する磁力を略同一にするのがよい。
【００４５】
また、蓋部１２０の位置をロックするための力（吸着保持する力）は、マグネット１６４の磁力やプレート１７２、１７４のサイズによって調節することができる。マグネット１６４の磁力を大きくしたり、プレート１７２、１７４のサイズを大きくしたりすればかかる力は強くなる。一方、マグネット１６４の磁力を小さくしたり、プレート１７２、１７４のサイズを小さくしたりすればかかる力は弱くなる。また、プレート１７２、１７４のサイズは、ロック装置を搭載する機器の構成に応じて適宜変更することができる。
【００４６】
なお、蓋部１２０の位置のロックを解除するとき、移動部１３０および蓋部１２０を移動させる駆動部の駆動力が蓋部１２０の位置をロックするための力より大きくなければならない。このため、マグネット１６４の磁力は、駆動部の駆動力により蓋部１２０の位置のロックを解除できる大きさに設定される。さらに、吸着部１７０のプレート１７２、１７４の有する磁力は、蓋部１２０が開いている状態のとき、必ずしもゼロでなくともよく、移動部１３０の移動を妨げない程度の磁力を有していても問題ない。
【００４７】
以上、本実施形態にかかるロック装置の構成とその作用について説明した。かかるロック装置によれば、蓋部１２０とともに移動する移動部１３０の移動に連動して連結部１４０、レバー部１５０、そしてマグネット部１６０を移動させ、マグネット１６４の磁極の向きを変化させる。マグネット１６４の磁極の向きにより吸着部１７０の有する磁力の大きさが変化し、被吸着部１２２を吸着する力が変化する。蓋部１２０の位置をロックする場合には吸着部１７０の有する磁力を大きくし、ロックを解除するときには吸着部１７０の有する磁力を小さくする。
【００４８】
このように、マグネット１６４を用いてロック機能を実現することができるので、ロック装置を設けるスペース、特に厚みを小さくすることができる。また、ロック装置を構成する吸着部の形状もロック装置を搭載する機器の構成に応じて適宜変更できるので、設計の自由度が向上される。さらに、本実施形態にかかるロック装置は、蓋部１２０および移動部１３０の動きに連動させてロックの設定／解除を行うので、ロックの設定／解除を行うための駆動部を別途設ける必要がない。
【００４９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００５０】
例えば、上記実施形態では、マグネット１６４の形状はリング形状としたが、本発明はかかる例に限定されない。例えば、棒状であってもよい。
【００５１】
また、上記実施形態では、ロック装置を備える機器として音楽再生装置１００について説明したが、本発明はかかる例に限定されない。一方の部材に対して他方の部材がスライドして移動可能に構成された機器であれば適用することができる。
【図面の簡単な説明】
【００５２】
【図１】本発明の実施形態にかかる音楽再生装置の外観を示す全体斜視図であって、蓋部が閉じた状態を示す。
【図２】同実施形態にかかる音楽再生装置の外観を示す全体斜視図であって、蓋部が開いた状態を示す。
【図３】同実施形態にかかる音楽再生装置の蓋部およびカバーを取り除いた状態のロック装置を示す平面図である。
【図４】マグネット部の構成を示す断面図である。
【図５】蓋部が開いた状態における連結部、レバー部およびマグネット部の位置を示す説明図である。
【図６】蓋部が閉じようとしている状態における連結部、レバー部およびマグネット部の位置を示す説明図である。
【図７】蓋部が閉じた状態における連結部、レバー部およびマグネット部の位置を示す説明図である。
【図８】同実施形態にかかるロック装置の作用を説明するための説明図であって、ロックが解除された状態を示す。
【図９】同実施形態にかかるロック装置の作用を説明するための説明図であって、ロックされた状態を示す。
【符号の説明】
【００５３】
１００    音楽再生装置
１１０    本体部
１１１    基台
１２０    蓋部
１２２    被吸着部
１３０    移動部
１４０    連結部
１４２    接続部
１４４    溝部
１４５    突起部
１５０    レバー部
１５２    切り欠き部
１５５    突起部
１５６    溝部
１６０    マグネット部
１６２    軸部
１６４    マグネット
１６５    第１のホルダー
１６６    第２のホルダー
１６８    突起部
１７０    吸着部
１７２、１７４  プレート
【図１】
2010067287.tif 000003
【図２】
2010067287.tif 000004
【図３】
2010067287.tif 000005
【図４】
2010067287.tif 000006
【図５】
2010067287.tif 000007
【図６】
2010067287.tif 000008
【図７】
2010067287.tif 000009
【図８】
2010067287.tif 000010
【図９】
2010067287.tif 000011